(57)【要約】【課題】回転式の蓋体を簡易な構造によって適当な回転角度姿勢に維持させることができ、もって使い勝手が良く、しかも蓋体を勢いよく開けることに起因して蓋が傷付き易くなるといった不具合も好適に防止することが可能な操作装置を提供する。【解決手段】操作装置本体部１に蓋体２を回転可能に支持する回転支持部Ｓが、互いに嵌合可能な軸部３と孔部４とを備えている操作装置Ａであって、軸部３の外周面および孔部４の内周面には、互いに係合可能な複数の凸部３１および複数の凹部４１が周方向に間隔を隔てて設けられ、軸部３には、この軸部３をラジアル方向に拡縮自在とするスリット３４が設けられ、蓋体２が回転されて開閉されるときには、複数の凸部３１および複数の凹部４１が互いに係合した状態と、この係合が解除されている状態とが交互に繰り返されるように構成されている。【選択図】  図７
2009204233.tif 000002
【特許請求の範囲】
【請求項１】
操作スイッチが設けられている操作装置本体部と、
この操作装置本体部の少なくとも一部分を覆うための蓋体と、
この蓋体を前記操作装置本体部に回転可能に支持させる回転支持部と、を備えており、
前記回転支持部は、前記操作装置本体部および前記蓋体の一方に設けられた孔部と、他方に設けられ、かつ前記孔部に嵌入する軸部とを有している、操作装置であって、
前記軸部の外周面および前記孔部の内周面には、互いに係合可能な複数の凸部および複数の凹部が周方向に間隔を隔てて設けられ、
前記軸部には、この軸部をラジアル方向に拡縮自在とするスリットが設けられ、
前記蓋体が回転されて開閉されるときには、前記複数の凸部および前記複数の凹部が互いに係合した状態と、この係合が解除されている状態とが交互に繰り返されるように構成されていることを特徴とする、操作装置。
【請求項２】
前記スリットは、前記軸部の略中心から外周面に向けて複数条に延びた放射状のスリットであって、前記軸部は、ラジアル方向に弾性変形可能な複数の軸状領域に分割されており、
これら複数の軸状領域のそれぞれに、前記複数の凸部または前記複数の凹部の個々が設けられている、請求項１に記載の操作装置。
【請求項３】
前記軸部は、基本断面形状が正多角形とされたものであり、この正多角形の複数の頂点およびその近傍部分が、前記複数の凸部である、請求項１または２に記載の操作装置。
【請求項４】
前記孔部は、基本断面形状が前記軸部に対応した正多角形とされたものであり、この正多角形の複数の頂点およびその近傍部分が、前記複数の凹部である、請求項３に記載の操作装置。
【請求項５】
前記軸部および前記孔部のそれぞれの基本断面形状は、五角形以上の正多角形とされ、前記複数の凸部および前記複数の凹部のそれぞれの夾角は、鈍角とされている、請求項４に記載の操作装置。
【請求項６】
前記スリットは、前記軸部の略中心から前記正多角形の各辺の中点まで延びるように形成された放射状のスリットである、請求項３ないし５のいずれかに記載の操作装置。
【請求項７】
前記軸部の基本断面形状は、偶数の正多角形とされ、前記スリットは、前記軸部の略中心を通過して前記軸部の外面の一部から他の一部まで延びた複数の直線状のスリットのみからなる放射状のスリットである、請求項３ないし６のいずれかに記載の操作装置。
【発明の詳細な説明】
【技術分野】
【０００１】
本発明は、たとえば給湯装置の遠隔操作装置などとして用いるのに好適な操作装置、さらに詳しくは、操作装置本体部に回転式の蓋体が取り付けられたタイプの操作装置に関する。
【背景技術】
【０００２】
従来、給湯装置用の操作装置としては、たとえば特許文献１に記載されたものがある。同文献に記載された操作装置は、操作部が設けられた操作装置本体部と、この操作装置本体部に回転可能に取り付けられた蓋体とを備えている。この蓋体は、操作装置本体部の前面の一部分を開閉可能であり、この蓋体を開いたときには、たとえば通常時には余り使用頻度の高くない操作スイッチが露出して、これを操作できるようになっている。
【０００３】
前記したような操作装置において、蓋体を操作装置本体部に回転可能に支持させるための手段としては、たとえば蓋体と操作装置本体部とのいずれか一方に、一対の孔部を形成し、かつ他方に一対の軸部を形成して、これらを嵌合させる手段がよく用いられる。このような手段によれば、構造が簡素であるために、製造コストを廉価にできる利点が得られる。
【０００４】
しかしながら、前記したような手段においては、次に述べるように改善の余地があった。
【０００５】
すなわち、回転式の蓋体については、単に開閉されるだけではなく、適当な回転角度で止めたい場合がある。より詳しくは、蓋体の回転構造としては、蓋体が１８０°以上の大きな角度で開くようにされている場合がある。このような蓋体の回転構造を備えた操作装置が壁面に取り付けられている状態において、蓋体を勢いよく開けると、この蓋体の先端部が前記の壁面に衝突する場合がある。このような衝突が繰り返されると、蓋体の先端部に傷が付き、見栄えが悪くなる。蓋体が大きく開くことを解消するには、蓋体が適当な角度だけ開いたときにこの蓋体が操作装置本体部の適所に当接するように設定すればよいが、これではその当接箇所に傷が付き易くなってしまう。なお、蓋体の回転支点を蓋体の上部側に設けて、蓋体の下端側を上方に持ち上げるようにして開く場合には、前記したような不具合は生じない。ところが、この場合には、蓋体から手を離した際に、この蓋体を適当な角度で開かせた状態に維持することができず、不便を生じることとなる。
【０００６】
前記したような不具合を防止する手段としては、たとえば特許文献２または３に記載された回転支持手段を用いることが考えられる。
特許文献２に記載の回転支持手段では、孔部に嵌合される軸部に１本のスリットを形成することにより、この軸部に弾発性を具備させており、この弾発性を利用して軸部の外周面と孔部の内周面との間の摩擦力を高めている。ところが、このような構成では、軸部の外周面と孔部の内周面とが単に面接触するだけであるため、適度な摩擦力を得ることが難しい。たとえば、前記の摩擦力が過小であると、蓋体を一定の角度姿勢に維持することができず、逆に過大であると、蓋体を開閉する際の円滑性が損なわれることとなる。
一方、特許文献３に記載の回転支持手段では、蓋体に設けられている孔部の周縁部にスリットを設けて、前記孔部を切欠孔とすることにより、前記孔部の周縁部に弾発性を具備させている。また、軸部の外周面には凸部を形成し、この凸部の外面と前記孔部の内周面との間の摩擦力を高めている。ところが、このような構成では、孔部の周縁部にスリットが設けられているために、塵などがこのスリットから孔部内に進入し、噛み込みを生じ易くなるといった不具合がある。
【０００７】
【特許文献１】特開平６−２２９６２４号公報
【特許文献２】特開２００７−８３０１６号公報
【特許文献３】特開２００３−３３５号公報
【発明の開示】
【発明が解決しようとする課題】
【０００８】
本発明は、前記した事情のもとで考え出されたものであって、回転式の蓋体を簡易な構造によって適当な回転角度姿勢に維持させることができ、もって使い勝手がよく、しかも蓋体を勢いよく開けることに起因して蓋が傷付き易くなるといった不具合も好適に防止することが可能な操作装置を提供することを、その課題としている。
【課題を解決するための手段】
【０００９】
上記の課題を解決するため、本発明では、次の技術的手段を講じている。
【００１０】
本発明により提供される操作装置は、操作スイッチが設けられている操作装置本体部と、この操作装置本体部の少なくとも一部分を覆うための蓋体と、この蓋体を前記操作装置本体部に回転可能に支持させる回転支持部と、を備えており、前記回転支持部は、前記操作装置本体部および前記蓋体の一方に設けられた孔部と、他方に設けられ、かつ前記孔部に嵌入する軸部とを有している、操作装置であって、前記軸部の外周面および前記孔部の内周面には、互いに係合可能な複数の凸部および複数の凹部が周方向に間隔を隔てて設けられ、前記軸部には、この軸部をラジアル方向に拡縮自在とするスリットが設けられ、前記蓋体が回転されて開閉されるときには、前記複数の凸部および前記複数の凹部が互いに係合した状態と、この係合が解除されている状態とが交互に繰り返されるように構成されていることを特徴としている。
【００１１】
このような構成によれば、次のような効果が得られる。
【００１２】
第１に、複数の凸部と複数の凹部とが互いに係合する状態では、蓋体の回転が抑制された状態となる。したがって、ユーザは、蓋体を開いたときに、前記した係合を生じる所望の角度で蓋体を静止させることが可能となり、ユーザにとって便利となる。本発明においては、凸部が凹部内に進入してこれらが係合していれば、蓋体を一定の姿勢に維持させる作用が得られるために、たとえば凸部を凹部の内面に強く圧接させるような必要はない。したがって、凸部や凹部を有しない面どうしを、弾発力を利用して接触させていた特許文献２とは異なり、たとえば軸部の弾発力が不足気味になることによって、蓋体を一定の角度に維持することが困難になるといった不具合は生じ難い。
【００１３】
第２に、ユーザが蓋体を勢いよく開けた場合であっても、この蓋体の回転途中で、複数の凸部と凹部とが係合する作用によってブレーキがかかり、蓋体の回転速度が低下する。したがって、操作装置が設置されている壁面やその他の箇所に、蓋体が勢いよく衝突することも防止され、衝突に起因して蓋体に傷が付く虞も少なくすることができる。
【００１４】
第３に、本発明では、特許文献３とは異なり、孔部を形成する部材にスリットを形成する必要はない。このため、孔部内にスリットから塵などが進入して、噛み込みを生じるといったことも防止される。
【００１５】
第４に、本発明では、互いに係合する凸部および凹部が、ともに複数設けられているために、軸部および孔部の内周面の一部分のみに大きな負荷が作用することも好適に回避される。すなわち、本発明とは異なり、たとえば凸部の数を１つとして、複数の凹部に１つの凸部を順次係合させるようにしたのでは、この凸部の負担が大きく、摩耗や損傷などが生じ易くなる。これに対し、本発明によれば、そのような不具合も防止することができる。
【００１６】
本発明の好ましい実施の形態においては、前記スリットは、前記軸部の略中心から外周面に向けて複数条に延びた放射状のスリットであって、前記軸部は、ラジアル方向に弾性変形可能な複数の軸状領域に分割されており、これら複数の軸状領域のそれぞれに、前記複数の凸部または前記複数の凹部の個々が設けられている。
【００１７】
このような構成によれば、複数の軸状領域が個々にラジアル方向に弾性変形可能であるために、それら複数の軸状領域に設けられている複数の凸部、または複数の凹部についても、個々にラジアル方向に変位させることが可能となり、各凸部と各凹部とが係脱する動作を円滑なものとすることができる。
【００１８】
本発明の好ましい実施の形態においては、前記軸部は、基本断面形状が正多角形とされたものであり、この正多角形の複数の頂点およびその近傍部分が、前記複数の凸部である。
【００１９】
このような構成によれば、複数の凸部を備えた軸部の形状が簡素となり、製造コストを廉価にするのに好適となる。
【００２０】
本発明の好ましい実施の形態においては、前記孔部は、基本断面形状が前記軸部に対応した正多角形とされたものであり、この正多角形の複数の頂点およびその近傍部分が、前記複数の凹部である。
【００２１】
このような構成によれば、複数の凹部を備えた孔部の形状も簡素となり、製造コストを廉価にするのに、より好適となる。
【００２２】
本発明の好ましい実施の形態においては、前記軸部および前記孔部のそれぞれの基本断面形状は、五角形以上の正多角形とされ、前記複数の凸部および前記複数の凹部のそれぞれの夾角は、鈍角とされている。
【００２３】
このような構成によれば、各凸部と各凹部とが係合している状態において、蓋体に回転力が作用したときに、前記の係合状態を解除させることが容易かつ円滑化される。すなわち、前記構成とは異なり、各凸部および各凹部のそれぞれの夾角が鋭角の場合には、各凸部が各凹部内に進入している状態において、これらに相対回転力が作用しても、各凸部を各凹部から脱出させることが難しいものとなるが、前記構成によれば、このようなことが解消される。
【００２４】
前記スリットは、前記軸部の略中心から前記正多角形の各辺の中点まで延びるように形成された放射状のスリットである。
【００２５】
このような構成によれば、基本断面形状が正多角形とされている軸部は、形状およびサイズが同一に揃えられた複数の領域（軸状領域）に均等に分割される。したがって、たとえば１つの軸状領域はラジアル方向への弾性変形量が十分であるのに対して、他の軸状領域の弾性変形量については不十分になるといった不具合を生じないようにすることができる。
【００２６】
本発明の好ましい実施の形態においては、前記軸部の基本断面形状は、偶数の正多角形とされ、前記スリットは、前記軸部の略中心を通過して前記軸部の外面の一部から他の一部まで延びた複数の直線状のスリットのみからなる放射状のスリットである。
【００２７】
このような構成によれば、放射状のスリットの形成が容易となる。すなわち、前記構成とは異なり、軸部の基本断面形状が奇数の正多角形の場合には、放射状のスリットは、軸部の外面の一部から他の一部まで直線状に延びた形状にはならず、放射状のスリットの形状が比較的複雑なものとなる。これに対し、前記構成によれば、放射状のスリットは、単純な形状となり、その形成が容易となる。
【００２８】
本発明のその他の特徴および利点は、添付図面を参照して以下に行なう発明の実施の形態の説明から、より明らかになるであろう。
【発明を実施するための最良の形態】
【００２９】
以下、本発明の好ましい実施の形態を、図面を参照して具体的に説明する。
【００３０】
図１〜図７は、本発明に係る操作装置の一実施形態を示している。本実施形態の操作装置Ａは、給湯装置（図示略）の遠隔操作用であり、風呂場あるいは台所などの略鉛直状に起立する壁面９に取り付けられ、かつ前記給湯装置のメインコントローラと配線接続された状態で使用される。図１および図２によく表われているように、この操作装置Ａは、操作装置本体部１、蓋体２、およびこの蓋体２を操作装置本体部１に対して相対回転可能に支持する一対の回転支持部Ｓを備えている。
【００３１】
操作装置本体部１は、たとえばＡＢＳ樹脂などの樹脂製の筐体１０内に、所定のデータ処理回路を構成する回路基板（図示略）が収容された構成を有しており、筐体１０の前面部には、たとえば液晶表示器を用いた画像表示部１１や、複数の操作スイッチ１２ａ，１２ｂが設けられている。複数の一部の操作スイッチ１２ｂは、蓋体２を閉めた際にこの蓋体２によって隠される。なお、蓋体２を閉めた際に、その状態を安定させて蓋体２のガタツキなどを防止するための手段として、たとえば蓋体２および操作装置本体部１の一方に磁石を取り付け、かつ他方に鉄製のプレートなどの磁性体の部材を取り付けて、これらを吸着させる手段を採用することができる。
【００３２】
蓋体２は、筐体１０とは別体に形成された略矩形のプレート状であり、筐体１０と同様の樹脂製である。この蓋体２については、特許文献１に記載されている蓋体と同様に、操作スイッチが設けられた構成とすることもできる。この蓋体１０の一端縁近傍には、孔部４が形成された一対のボス部４９が一体成形されている。これに対し、筐体１０の下部には、この筐体１０の幅方向に延びるリブ３９が設けられ、かつこのリブ３９の両端面には、一対の軸部３が突設されている。これらの軸部３およびリブ３９は、筐体１０と一体成形されている。各回転支持部Ｓは、軸部３と孔部４とが嵌合されることにより構成される。
【００３３】
図３および図５に示すように、軸部３は、基本的な断面形状が正六角形であり、この正六角形の各頂点およびその近傍部分は、凸部３１（本発明でいう凸部の一例）である。軸部３は、その中心位置から正六角形の各辺の中点に相当する位置に向けて延びる放射状のスリット３４が形成されていることにより、計６つの軸状領域３０に分割されている。複数の軸状領域３０は、形状およびサイズが同一に揃えられており、凸部３１を個々に有している。これら複数の軸状領域３０のそれぞれは、軸部３のラジアル方向に弾性変形可能である（図６に示すように、スリット３４の幅がゼロ、またはゼロに近くなるように、弾性変形可能である）。このことにより、軸部３はラジアル方向に拡縮自在である。
【００３４】
図４および図５に示すように、孔部４は、その基本断面形状が軸部３と同様の正六角形とされたものであり、この孔部４の内周面のうち、正六角形の各頂点およびその近傍部分に相当する箇所は、凹部４１（本発明でいう凹部の一例）である。内周面のうち、凹部４１以外の部分は、平面部４２である。図５に示すように、孔部４に軸部３が嵌入された状態においては、各凸部３１を各凹部４１内に進入させて、これらの部分を互いに係合させることが可能である。
【００３５】
前記した係合状態において、蓋体２に回転力が作用したときには、軸部３の各凸部３１の外面が孔部４の内周面から押圧力を受ける。この押圧力は、各凸部４１を軸部３の中心方向に押圧する分力を含んでおり、この分力が各軸状領域３０を軸部３の中心寄りに弾性変形させる。このようなことから、図６に示すように、各凸部３１を各凹部４１から脱出させて、蓋体２を回転させることが可能である。ただし、図７に示すように、蓋体２が６０°回転すると、各凸部３１が各凹部４１に再度進入して、これらが係合した状態となる。軸部３を回転させるときには、６０°回転する都度、各凸部３１と各凹部４１とが互いに係合した状態を繰り返すこととなる。
【００３６】
次に、操作装置Ａの作用について説明する。
【００３７】
まず、図１の実線で示すように、蓋体２が閉められた状態においては、操作スイッチ１２ｂが覆われているために、操作装置Ａがシンプルな外観となって見栄えがよい。次いで、操作スイッチ１２ｂを操作する必要が生じた際には、蓋体２を回転させて開く。その際、図５〜図７を参照して説明したように、軸部３が６０°回転する都度、各凸部３１と各凹部４１とは互いに係合する。このような係合がなされた際には、軸部３の回転が抑制され、蓋体２を一定の姿勢に維持することができる。したがって、ユーザが手で蓋体２を支持しなくても、この蓋体２を６０°，１２０°，または１８０°だけ回転させた姿勢に安定的に維持させることができる。この操作装置Ａでは、操作スイッチ１２ｂを操作する際に、蓋体２を１８０°回転させた状態で操作することに代えて、たとえば１２０°だけ回転させた状態で操作するといったことも容易となり、使い勝手が良い。
【００３８】
各凸部３１と各凹部４１との係合は、蓋体２がユーザによって勢いよく開けられた場合に、この蓋体２の勢いを衰えさせる作用をも発揮する。また、図６に示したように、凸部３１が凹部４１から脱出した際には、複数の軸状領域３０の弾発力によって凸部３１の先端部は平面部４２に当接し、これらの間に適度な摩擦力を生じる。この摩擦力も、蓋体２が勢いよく開けられた際に、その勢いを衰えさせる要素となる。したがって、この操作装置Ａにおいては、蓋体２が１８０°を超える大きな角度で回転して壁面９に勢いよく衝突することを抑制し、蓋体２に傷が付かないようにすることができる。とくに、本実施形態では、蓋体２が１８０°回転したときには、各凸部３１と各凹部４１とが丁度係合し、その回転角度で蓋体２を静止させることが可能であるために、蓋体２の回転角度が１８０°を大きく超えることがより確実に防止される。
【００３９】
この操作装置Ａにおいては、既述したように、蓋体２を所定の回転角度で静止させる作用は、軸部３の各凸部３１と孔部４の内周面の各凹部４１とが互いに係合する作用により得られる。したがって、本実施形態とは異なり、たとえば軸部３の外周面と孔部４の内周面とを互いに係合させることなく、これらを単に面接触させただけの場合（たとえば特許文献２）と比較すると、蓋体２を一定の姿勢に静止させることが容易かつ確実化される。
【００４０】
軸部３は、放射状のスリット３４を介して複数の軸状領域３０に分割されているが、各スリット３４の幅Ｌ（図５を参照）は、たとえば各凸部３１が各凹部４１に進入した状態から各凹部４１の外部に脱出することを可能とする幅でよく、小寸法とすることができる。したがって、軸部３に放射状のスリット３４が形成されていることに起因して、軸部３全体の機械的強度が大きく低下するといった不具合も生じないようにすることができる。一方、孔部４が設けられているボス部４９には、スリット（たとえば特許文献３に記載されているようなスリット）を設ける必要はないために、外部の塵などが孔部４内に進入して噛み込みを生じ易くなるといった不具合も生じ難くすることができる。
【００４１】
軸部３および孔部４は、それらの基本断面形状がともに正六角形とされ、かつその頂点およびその近傍部分が凸部３１や凹部４１とされているために、それらの成形も容易である。すなわち、本発明においては、図８に示すように、軸部３Ａおよび孔部４Ａの基本断面形状を円形とし、その周面に半円状などの複数の凸部３１Ａや凹部４１Ａを形成した構成とすることも可能である（なお、図８〜図１１において、本実施形態と同一または類似の要素には、本実施形態と同一の符号を付している）。図８に示した構成と比較すると、本実施形態における軸部３および孔部４の形状は、相当にシンプルであり、成形用金型の製作を容易とし、そのコストを廉価にするのに好適である。
【００４２】
また、軸部３に形成された放射状のスリット３４は、３本の直線が交差した形状となっているために、このスリット３４の成形も容易となる。すなわち、本発明においては、たとえば図９に示すように、軸部３の基本断面形状を正五角形として（孔部４も同様）、５つのスリット３４を放射状に形成した構成とすることができる。ただし、この図９に示した構成においては、５つのスリット３４はいずれも直線状には繋がっておらず、このような５つのスリット３４を形成するには、これらのスリット３４に対応した複雑な構造の部材を成形用金型に組み込む必要がある。これに対し、本実施形態では、放射状のスリット３４を形成する手段として、実質的には、３本の直線状のスリットを形成する部材を用いればよいこととなり、成形用金型を簡素にできる利点が得られる。なお、このような利点は、軸部３の基本形状を、正六角形とは別の偶数角形にした場合にも得られる。
【００４３】
本発明は、上述した実施形態に限定されない。本発明に係る操作装置の各部の具体的な構成は、種々に設計変更自在である。
【００４４】
本発明においては、たとえば図１０に示すように、軸部３や孔部４の基本断面形状を正八角形とし、かつ軸部３を計８つの軸状領域３０に分割した構成とすることもできる。このようなことから理解されるように、本発明では、軸部や孔部の基本断面形状としては、様々な正多角形とすることができる。もちろん、図８に示した実施形態のように、正多角形以外の形状とすることもできる。なお、多角形とは、三角形以上を意味するが、本発明においては、各頂点近傍部分の夾角が鈍角となる正多角形（正五角形以上）とすることが好ましい。軸部３の凸部３１の夾角、および孔部４の内周面の凹部４１の夾角が、ともに鋭角であると、凸部３１が凹部４１に進入している状態において、この凸部３１を凹部４１の外部に円滑に脱出させることが難しくなるが、前記夾角を鈍角にすると、そのようなことを適切に解消することが可能である。
【００４５】
本発明においては、図１１に示すように、軸部３Ｂの外周面に凹部３１Ｂが設けられ、かつ孔部４Ｂの内周面に凸部４１Ｂが設けられた構成とすることも可能である。
【００４６】
軸部および孔部の具体的な配置も限定されない。たとえば、前記した実施形態とは反対に、蓋体２側に軸部３が設けられ、かつ操作装置本体部１側に孔部４が設けられた構成とすることもできる。蓋体は、操作装置本体部に設けられている操作部を覆うものでなくてもよく、操作部以外の箇所（たとえば、表示部）を覆うものであってもよい。また、蓋体の回転角度は、１８０°程度である必要もない。蓋体の具体的な回転方向も限定されず、たとえば蓋体の上部側に回転支持部が設けられて蓋体が上下方向に回転したり、あるいは蓋体の左右幅方向の一端に回転支持部が設けられて蓋体が水平方向に回転するような構成とすることもできる。
【００４７】
本発明に係る操作装置は、給湯装置用以外として、種々の装置・機器類（たとえば、コージェネレーションシステム、ヒートホンプ、空調機、軟水器などの水処理装置など）の遠隔操作用、または遠隔操作用以外の操作装置として構成することもできる。
【図面の簡単な説明】
【００４８】
【図１】本発明に係る操作装置の一例を示す外観斜視図である。
【図２】図１に示す操作装置の分解斜視図である。
【図３】図２のIII−III要部拡大断面図である。
【図４】図２のIV−IV要部拡大断面図である。
【図５】図１のＶ−Ｖ要部拡大断面図である。
【図６】図１に示す操作装置において蓋体を回転させる場合の作用を示す要部拡大断面図である。
【図７】図１に示す操作装置において蓋体を回転させる場合の作用を示す要部拡大断面図である。
【図８】本発明に係る操作装置の他の例を示す要部断面図である。
【図９】本発明に係る操作装置の他の例を示す要部断面図である。
【図１０】本発明に係る操作装置の他の例を示す要部断面図である。
【図１１】本発明に係る操作装置の他の例を示す要部断面図である。
【符号の説明】
【００４９】
Ａ    操作装置
Ｓ    回転支持部
１    操作装置本体部
２    蓋体
３    軸部
４    孔部
９    壁面
１２ａ，１２ｂ    操作スイッチ
３０    軸状領域
３１，３１Ａ    凸部
３１Ｂ    凹部
３４    スリット
４１，４１Ａ    凹部
４１Ｂ    凸部
【図１】
2009204233.tif 000003
【図２】
2009204233.tif 000004
【図３】
2009204233.tif 000005
【図４】
2009204233.tif 000006
【図５】
2009204233.tif 000007
【図６】
2009204233.tif 000008
【図７】
2009204233.tif 000009
【図８】
2009204233.tif 000010
【図９】
2009204233.tif 000011
【図１０】
2009204233.tif 000012
【図１１】
2009204233.tif 000013